【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
非孔質ステンレス鋼、ガラスまたはプラスチックの基材において3回摩耗サイクル試験を受けたとき、24時間後に微生物の3log以上の低減を実現する抗微生物性組成物であって、
(i)式(A)の少なくとも1種の第四級アンモニウム化合物
【化１】
2015507676.tif 000001
[式中、R1およびR2はそれぞれ独立して、直鎖状非置換の中断されていないC8〜12アルキル基であり、X-は塩化物、臭化物、フッ化物、ヨウ化物、スルホナート、サッカリナート、カルボナート、またはバイカルボナートである]
および/または式(B)の少なくとも1種のベンザルコニウム化合物
【化２】
2015507676.tif 000002
[式中、mは8から18であり、X-は塩化物、臭化物、フッ化物、ヨウ化物、スルホナート、サッカリナート、カルボナート、またはバイカルボナートである]
を含む第四級アンモニウム成分(a)を含む抗微生物成分、
(ii)親水性重合体、
(iii)極性溶媒、
(iv)少なくとも1種の非イオン性界面活性剤、および
(v)キレートを含み、
前記重合体が、以下のタイプの単量体:
(1)永久カチオン電荷を有する単量体またはプロトン付加によってカチオン電荷を形成することができる単量体;
(2)アニオン電荷を有するまたはアニオン電荷を形成することができる酸性単量体;および
(3)中性単量体
のうち少なくとも2種を含み、
成分(a)対重合体(ii)の百万分率(ppm)で表した比は、1:1から10:1であり、4以上のpHを有する、組成物。
【請求項２】
成分(a)が少なくとも2種の抗微生物性第四級アンモニウム化合物を含む、請求項1に記載の組成物。
【請求項３】
カチオン単量体(1)がジアリルジメチルアンモニウムハライドもしくはN,N,N-トリメチル-3-((2-メチル-1-オキソ-2-プロペニル)アミノ)-1-プロパンアミニウムハライドまたはそれらの混合物である、請求項1または2に記載の組成物。
【請求項４】
酸性単量体(2)がアクリル酸および/またはメチルアクリル酸である、請求項1から3のいずれか一項に記載の組成物。
【請求項５】
中性単量体(3)がメタクリル酸2-(ジメチルアミノ)エチル(DMAEMA)、N-ビニルピロリドン(NVP)、N-ビニルイミダゾール、アクリルアミド、もしくはメタクリルアミド、またはそれらの混合物である、請求項1から4のいずれか一項に記載の組成物。
【請求項６】
親水性重合体が、メタクリル酸2-(ジメチルアミノ)エチル(DMAEMA)、塩化メタクリルアミドプロピルトリメチルアンモニウム(MAPTAC)、およびメチルアクリル酸、ならびにそれらの混合物から選択される単量体単位を含む、請求項1から5のいずれか一項に記載の組成物。
【請求項７】
親水性重合体が請求項1、3、4および5に定義の単量体単位の2種または3種を含有する共重合体である、請求項1から6のいずれか一項に記載の組成物。
【請求項８】
式(A)の化合物および式(B)の化合物を含む、請求項1から7のいずれか一項に記載の組成物。
【請求項９】
式(B)のベンザルコニウム化合物が、塩化ベンゼトニウム、塩化ベンジルジメチル-n-テトラデシル-アンモニウム、塩化ベンジルジメチル-n-ドデシル-アンモニウム、塩化ベンジル-C12〜C16-アルキル-ジメチル-アンモニウム、または塩化ベンジル-ココアルキル-ジメチル-アンモニウムであり、および/または式(A)の化合物が、塩化ジ-n-デシルジメチルアンモニウム、塩化オクチルデシルジメチルアンモニウム、または塩化ジオクチルジメチルアンモニウムである、請求項1から8のいずれか一項に記載の組成物。
【請求項１０】
キレートが、EDTA(エチレンジアミン四酢酸)、グルコナート、GLDA(グルタミン酸二酢酸)、EDDS(エチレンジアミン-N,N'-ジコハク酸)、DPTA(ジエチレントリアミン五酢酸)、HEDTA(ヒドロキシエチル-エチレンジアミン三酢酸)、MGDA(メチルグリシン二酢酸)、PDTA(1,3-プロピレンジアミン四酢酸)、およびEDG(エタノールジグリシン酸)、ならびにそれらの混合物から選択される、請求項1から9のいずれか一項に記載の組成物。
【請求項１１】
非イオン性界面活性剤がアルコールアルキルオキシラートもしくはアミンオキシド、またはそれらの混合物である、請求項1から10のいずれか一項に記載の組成物。
【請求項１２】
4.5以上のpHを有する、請求項1から11のいずれか一項に記載の組成物。
【請求項１３】
2000ppmから10000ppmの成分(i)を含む、請求項1から12のいずれか一項に記載の組成物。
【請求項１４】
500ppmから3000ppmの親水性重合体を含む、請求項1から13のいずれか一項に記載の組成物。
【請求項１５】
400ppmから3000ppmのキレートを含む、請求項1から14のいずれか一項に記載の組成物。
【請求項１６】
2000ppmから13500ppmの非イオン性界面活性剤を含む、請求項1から15のいずれか一項に記載の組成物。
【請求項１７】
アルコールを実質的に含まない、請求項1から16のいずれか一項に記載の組成物。
【請求項１８】
追加の抗微生物成分(b)を含む、請求項1から17のいずれか一項に記載の組成物。
【請求項１９】
追加の抗微生物剤(b)が、重合体ビグアニジンおよび非重合体ビグアニジン、銀、オクテニジンHCl、両性化合物、ヨードフォア、フェノール化合物、イソチアザロン、ニトロブロモプロパン、窒素をベースとしたヘテロ環式化合物、アルキルベタイン、アルキルアミンオキシド、アルギニンをベースとしたカチオン性界面活性剤、アニオン性アミノ酸をベースとした界面活性剤、およびアミン抗微生物剤、ならびにそれらの混合物から選択される、請求項18に記載の組成物。
【請求項２０】
追加の抗微生物剤がポリヘキサメチレンビグアニジンまたは式(C)の化合物
【化３】
2015507676.tif 000003
[式中、Rは非置換C8〜C18アルキルである]である、請求項19に記載の組成物。
【請求項２１】
式(C)の化合物が、N,N-ビス(3-アミノプロピル)-ドデシルアミンである、請求項20に記載の組成物。
【請求項２２】
0.5重量%以下のギ酸を含む、請求項1から21のいずれか一項に記載の組成物。
【請求項２３】
成分(a)対重合体(ii)の比が、1:1から4:1である、請求項1から22のいずれか一項に記載の組成物。
【請求項２４】
清浄組成物でもある、請求項1から23のいずれか一項に記載の組成物。
【請求項２５】
硬質表面で使用される、請求項1から24のいずれか一項に記載の組成物。
【請求項２６】
硬質表面を清浄し、残留抗微生物効果をその硬質表面にもたらす方法であって、請求項1から25のいずれか一項に記載の組成物を硬質表面に適用する工程を含む方法。
【請求項２７】
硬質表面上または表面付近での微生物コロニーの形成を実質的に低減または制御するための、請求項1から25のいずれか一項に記載の組成物の使用。
【請求項２８】
硬質表面上または表面付近での微生物コロニーの形成を実質的に低減または制御する方法であって、請求項1から25のいずれか一項に記載の組成物をその表面に適用する工程を含む方法。
【請求項２９】
微生物の硬質表面への接着および/または付着を妨害、防止、または低減する方法であって、請求項1から25のいずれか一項に記載の組成物をその表面に適用する工程を含む方法。